(57)【要約】【課題】使用する流体の絶対流量（ガス流量）に差がある複数の器具を時間差をもって起動させても、個々の起動時間を設定できる流体計測装置を提供する。【解決手段】流量計測装置１０は、ガス器具として複数のガス器具２１〜２５が登録され、複数のガス器具２１〜２５から選択されたガス器具の使用中に、ガス流量が一定量以上減少したとき、器具判別手段１８で、選択されたガス器具が停止したと判断する装置であって、選択されたガス器具が停止したと判断した後、ガス流量が０を超えている場合、器具判別手段１８で他のガス器具が起動していると判断して他のガス器具の起動時期を設定するものである。【選択図】図８
2008170215.tif 000002
【特許請求の範囲】
【請求項１】
流路に流れる絶対流量を計測する流量計測手段と、前記流量計測手段で計測された絶対流量および計測された絶対流量が継続する時間長さの流量情報を記憶する流量情報記憶手段と、前記流量計測手段で計測した流量情報が、前記流量情報記憶手段に登録されたガス器具の流量情報と対応基準が一致する場合は登録されたガス器具であると判別する器具判別手段とを備えた流量計測装置において、
前記器具判別手段は、器具停止時に動作器具がどの種類の器具であるかを判定することを特徴とする流量計測装置。
【請求項２】
流路に流れる絶対流量を計測する流量計測手段と、前記流量計測手段で計測された絶対流量および計測された絶対流量が継続する時間長さの流量情報を記憶する流量情報記憶手段と、前記流量計測手段で計測した流量情報が、前記流量情報記憶手段に登録されたガス器具の流量情報と対応基準が一致する場合は登録されたガス器具であると判別する器具判別手段とを備えた流量計測装置において、
前記ガス器具として複数のガス器具が登録され、複数のガス器具から選択されたガス器具の使用中に、前記絶対流量が一定量以上減少したとき、前記器具判別手段で、前記選択されたガス器具が停止したと判断する流量計測装置であって、
前記選択されたガス器具が停止したと判断した後、前記絶対流量が０を超えている場合、前記器具判別手段で他のガス器具が起動していると判断して他のガス器具の器具種を判定することを特徴とする流量計測装置。
【請求項３】
判定されたガス器具が停止したと判断した後、絶対流量が０を超えている場合、器具判別手段で他のガス器具が起動した起動時期を推定することを特徴とする請求項１または２記載の流量計測装置。
【発明の詳細な説明】
【技術分野】
【０００１】
本発明は、流路に接続された器具を流量情報に基づいて判別する器具判別手段を備えた流量計測装置に関する。
【背景技術】
【０００２】
ガスメータとしての超音波式流体計測装置は、計測流路に流体（ガス）を流し、計測流路内に超音波を伝搬させて、超音波の伝搬時間を計測し、計測した情報に基づいてガスの流速を求めるものである。
この計測流路は、断面長方形の角筒形状で対向する短辺側面にそれぞれ送波部、受波部が設けられている。送波部、受波部は計測流路の流れ方向に対して所定の角度で交差する線に沿って超音波を送受するように配置されている。
【０００３】
そして、近年では、ガスメータに接続されたガス器具の起動、停止を個別に判定可能なガスメータ装置が提案されている（例えば、特許文献１参照）。
このガスメータ装置は、例えば、家庭用ガス供給管に接続され、流量計測定手段で２秒間隔毎にガス流量を計測する。
【０００４】
測定した流量データは演算手段に伝えられ、演算手段で流量データが微分され２秒毎の差分データとして出力される。
出力された差分データは、判別手段に送られ、記憶手段に登録されている比較判定値と比較される。そして、差分データが比較判定値を超えた場合ガス器具が起動したと判断する。
【特許文献１】特開２００５−２０９７２１号公報
【発明の開示】
【発明が解決しようとする課題】
【０００５】
しかしながら、使用するガスの絶対流量に差がある二つのガス器具を時間差をもって起動した場合、ガス使用量が少ないガス器具の流量変動パターンが埋没してしまい、起動時期を特定できない。
【０００６】
具体的には、例えば、ガスを大量消費するガス器具Ａを起動させてから、ガスをあまり消費しないガス器具Ｂを起動させた場合、実際に計測して得られた流量変動パターン内にガス器具Ｂの流量変動パターンが埋没してしまい、ガス器具Ｂを判別できない。
【０００７】
本発明は、前述した課題を解決するためになされたもので、その目的は、使用する流体の絶対流量（ガス流量）に差がある複数の器具を時間差をもって起動させても、個々の起動時間を設定できる流体計測装置を提供することにある。
【課題を解決するための手段】
【０００８】
本発明の流体計測装置は、流路に流れる絶対流量を計測する流量計測手段と、前記流量計測手段で計測された絶対流量および計測された絶対流量が継続する時間長さの流量情報を記憶する流量情報記憶手段と、前記流量計測手段で計測した流量情報が、前記流量情報記憶手段に登録されたガス器具の流量情報と対応基準が一致する場合は登録されたガス器具であると判別する器具判別手段とを備えた流量計測装置において、前記器具判別手段は、器具停止時に動作器具がどの種類の器具であるかを判定することを特徴とする。
ここで、器具判別手段としては、複数台の器具を起動させている際、任意の器具が停止した時に該当器具を判定する場合もあり、あるいは１台のみ起動している器具が停止した際に器具を判定する場合もある。
【０００９】
また、本発明の流体計測装置は、流路に流れる絶対流量を計測する流量計測手段と、前記流量計測手段で計測された絶対流量および計測された絶対流量が継続する時間長さの流量情報を記憶する流量情報記憶手段と、前記流量計測手段で計測した流量情報が、前記流量情報記憶手段に登録されたガス器具の流量情報と対応基準が一致する場合は登録されたガス器具であると判別する器具判別手段とを備えた流量計測装置において、前記ガス器具として複数のガス器具が登録され、複数のガス器具から選択されたガス器具の使用中に、前記絶対流量が一定量以上減少したとき、前記器具判別手段で、前記選択されたガス器具が停止したと判断する流量計測装置であって、前記選択されたガス器具が停止したと判断した後、前記絶対流量が０を超えている場合、前記器具判別手段で他のガス器具が起動していると判断して他のガス器具の器具種を判定することを特徴とする。
【００１０】
さらに、本発明の流体計測装置は、判定されたガス器具が停止したと判断した後、絶対流量が０を超えている場合、器具判別手段で他のガス器具が起動した起動時期を推定することを特徴とする。
【００１１】
選択されたガス器具が停止したと判断した後、絶対流量（ガス流量）が０を超えている場合、器具判別手段で他のガス器具が起動していると判断する。
起動していると判断された他のガス器具は、絶対流量の変動等から起動時期が設定される。
【発明の効果】
【００１２】
本発明の流体計測装置によれば、起動していると判断された他のガス器具の起動時期が、絶対流量の変動等から設定され、使用する流体の絶対流量（ガス流量）に差がある複数の器具を時間差をもって起動させても、個々の起動時間を設定できるという効果を有する。
【発明を実施するための最良の形態】
【００１３】
（第１実施形態）
図１に示すように、第１実施形態の流量計測装置１０は、流路としてのガス供給管１１に流れる流量を計測する超音波流量計（流量計測手段）１２と、超音波流量計１２で計測されたガス流路（絶対流量）および計測された絶対流量が継続する時間長さの流量情報を記憶する流量情報記憶手段１４と、ガス供給管１１に接続されたガス器具の流量情報（流量データ）を登録する器具登録手段１６と、超音波流量計１２で計測した前記流量情報が、器具登録手段１６に登録されたガス器具の流量情報と対応基準が一致する場合は登録されたガス器具であると判別する器具判別手段１８とを備える。
ガス供給管１１には、超音波流量計１２の下流側に、各家庭内に設置された複数のガス器具（器具）２１〜２５が接続されている。
【００１４】
この流量計測装置１０は、ガス器具として複数のガス器具２１〜２５が登録され、複数のガス器具２１〜２５から選択されたガス器具の使用中に、ガス流量（絶対流量）が一定量以上減少したとき、器具判別手段１８で、選択されたガス器具が停止したと判断する装置であって、選択されたガス器具が停止したと判断した後、ガス流量が０を超えている場合、器具判別手段１８で他のガス器具が起動していると判断して他のガス器具の起動時期を設定するものである。
【００１５】
複数のガス器具２１〜２５としては、ファンヒータ２１、第１ガステーブル２２、第２ガステーブル２３、床暖房２４、ガスオーブン２５が挙げられる。
【００１６】
超音波流量計１２は、流量演算部（図示せず）を有し、ガス供給管１１に連通された計測流路（図示せず）内に超音波を伝搬させて、超音波の伝搬時間を計測し、計測した情報に基づいてガスの流速を求めるものである。
この計測流路は、断面長方形の角筒形状で対向する短辺側面にそれぞれ超音波送受信が設けられている。超音波送受信は計測流路のガス流れ方向に対して所定の角度で交差する線に沿って超音波を交互に送受信するように配置されている。
前記流量演算部は、超音波流量計１２からのガス流量検知信号に基づき、ガス流量の変化に相当する流量差分値を演算する。
【００１７】
器具登録手段１６は、複数のガス器具２１〜２５の流量情報を予め登録する。
複数のガス器具２１〜２５の流量情報としては、複数のガス器具２１〜２５の起動の判別、オーバーシュートの判別、安定判別、傾きの緩急の判別、各ガス器具のガス流量特性としての起動時流量が挙げられる。
【００１８】
器具判別手段１８は、複数のガス器具２１〜２５の使用中に、絶対流量のオーバーシュートの有無および絶対流量の傾きの緩急に基づいてガス器具を判別し、オーバーシュートの有無および絶対流量の傾きの緩急で判別不能のガス器具を絶対流量の流量区分で判別するものである。
絶対流量のオーバーシュートの有無および絶対流量の傾きの緩急については以下に説明する。
【００１９】
図２に示すグラフＧ１に基づいてガス器具の起動の判別、オーバーシュートの判別、安定判別の基準について説明する。
まず、ガス器具が起動したか否かの判別について説明する。
超音波流量計１２でガス流量を計測した際に、計測したガス流量の流量変化Ｑ１が所定流量（例えば、＋５〜＋４００Ｌ（リットル）／ｈ（時間）、最適範囲は、＋２０〜＋８０Ｌ（リットル）／ｈ（時間））以上の場合にガス器具が起動したと判別する。
【００２０】
つぎに、ガス流量がオーバーシュートであるか否かの判別について説明する。
ガス器具が起動したと判別された後、ガス流量が安定するまでに、流量変化Ｑ２が−１０Ｌ／ｈ以上である場合が一度でもあったときガス流量がオーバーシュートであると判別する。その他にも、流量変化Ｑ２を計測する時間幅を変えたり、流量が安定した時の安定流量とオーバーシュートのピーク流量との比較によってオーバーシュートを判別する方法などがある。
【００２１】
ついで、ガス流量が安定であるか否かの判別について説明する。
ガス器具が起動したと判別された後、ガス流量の流量変化Ｑ３が所定流量（例えば、±５Ｌ／ｈ、すなわち、一定時間内の流量の増減が１０Ｌ／ｈ以内）以内に収束された場合を安定で有ると判別する。
【００２２】
図３のグラフＧ２に基づいて、起動時に生じるガス流量の傾きの緩急の判別基準について説明する。
グラフＧ２に示すように、ガス流量に４秒、６秒、１０秒の時間の経過に応じて、４秒差分流量＜６秒差分流量＜１０秒差分流量の関係が成立する場合、ガス流量の傾きが緩（緩やか）であると判別する。また、判別方法としては、４秒差分流量＜６秒差分流量＜８秒差分流量というように、測定時間をいろいろ組合わせて傾きを判断する判別の方法もある。
この場合、ガス流量に、４秒差分流量＜６秒差分流量＜１０秒差分流量の関係が成立しない場合、ガス流量の傾きが急であると判別し、４秒差分流量＜６秒差分流量＜１０秒差分流量の関係が成立する場合、ガス流量の傾きが緩やかであると判別する。
【００２３】
表１に、図２、図３で説明した判別基準に基づいて、複数のガス器具２１〜２５（ファンヒータ２１、第１ガステーブル２２、第２ガステーブル２３、床暖房２４、ガスオーブン２５）の特性を区分けした例を示す。
【００２４】
【表１】
2008170215.tif 000003
【００２５】
表１に示すファンヒータ２１はガス流量が例えば１３０Ｌ／ｈのガス器具であるとする。
ファンヒータ２１は、ガス流量の傾きが緩（緩やか）で、オーバーシュートが無いガス器具であると事前に定義しておく。
ファンヒータ２１は、図４のグラフＧ３に示すように、部屋が暖まるまでの時間Ｔ１はガス流量が大きく、部屋が暖まった後、ガス流量が抑えられて安定するという特性をもつ。
【００２６】
表１に示す第１ガステーブル２２はガス流量が例えば１００Ｌ／ｈのガス器具であるとする。また、第２ガステーブル２３はガス流量が例えば１４５Ｌ／ｈのガス器具であるとする。
第１のガステーブル２２、第２のガステーブル２３は、ガス流量の傾きが急で、オーバーシュートが無いガス器具であると事前に定義しておく。
第１のガステーブル２２、第２のガステーブル２３は、ガス流量が異なるだけで特性は類似する。よって、第１のガステーブル２２、第２のガステーブル２３の特性を図５のグラフＧ４にまとめて示す。
【００２７】
表１に示す床暖房２４はガス流量が例えば１４０Ｌ／ｈのガス器具であるとする。
ガス流量の傾きが急で、オーバーシュートが有るガス器具であると事前に定義しておく。
床暖房２４は、図６のグラフＧ５に示すように、暖房用配管内の水が暖められて温水に変わるまで安定しない。このため、起動の後、オーバーシュートが発生する。
床暖房２４は、流量が安定した後、間欠動作が継続するように制御されている。すなわち、床暖房２４を使用することで、ガス流量が制御流量となる。
【００２８】
表１に示すガスオーブン２５はガス流量が例えば２４０Ｌ／ｈのガス器具であるとする。
ガスオーブン２５は、ガス流量の傾きが急で、オーバーシュートが無いガス器具であると事前に定義しておく。
ガスオーブン２５の特性を図７のグラフＧ６に示す。
【００２９】
なお、図２に示す起動および安定の特性は、複数のガス器具２１〜２５（ファンヒータ２１、第１ガステーブル２２、第２ガステーブル２３、床暖房２４、ガスオーブン２５）に備えられている。
【００３０】
つぎに、一例として、流量計測装置１０で第２ガステーブル２３および床暖房２４が使用されている場合、複数のガス器具２１〜２５から第２ガステーブル２３および床暖房２４を判別する例を図８のフローチャートおよび図９のグラフに基づいて説明する。
図９のグラフＧ７は、第２ガステーブル２３および床暖房２４が使用されている場合のガス流量を示す。
【００３１】
ＳＴ０１；流量情報記憶手段１４に記憶された流量情報から流量変化の有無を器具判別手段１８で判断する。
ここで、流量変化が有るとは、図９の流量変化（例えばＱ４）が有る場合をいう。一方、流量変化が無いとは、ガス流量が安定（図２参照）の場合をいう。
図９においては、ガス流量Ｑ５は安定の状態にある。
なお、流量変化Ｑ４は、床暖房２４のガス流量１４０Ｌ／ｈである。
流量変化が無い場合ＳＴ０１に戻り、流量変化が有る場合ＳＴ０２に進む。
【００３２】
ＳＴ０２；ガス器具の起動を判別するか否かを器具判別手段１８で判断する。ガス器具の起動を判別をする場合ＳＴ０３に進み、ガス器具の起動を判別をしない場合ＳＴ０４に進む。
ＳＴ０３；図９の流量変化から床暖房２４の起動を器具判別手段１８で判別し、ＳＴ０４に進む。
【００３３】
ＳＴ０４；ガス流量の安定を判別するか否かを器具判別手段１８で判断する。ガス流量の安定を判別をする場合ＳＴ０５に進み、ガス流量の安定を判別をしない場合ＳＴ０６に進む。
ＳＴ０５；図９の流量変化Ｑ５からガス流量が安定していることを器具判別手段１８で判別をし、ＳＴ０６に進む。
【００３４】
ＳＴ０６；制御流量の判別をするか否かを器具判別手段１８で判断する。制御流量の判別をする場合ＳＴ０７に進み、制御流量の判別をしない場合ＳＴ０８に進む。
ＳＴ０７；図６のグラフＧ５に示すように、床暖房２４は制御流量されている。よって、ガス流量に制御流量が有ると判別し、ＳＴ０８に進む。
【００３５】
ＳＴ０８；ガス器具の停止を判別するか否かを器具判別手段１８で判断する。ガス器具の停止を判別をする場合ＳＴ０９に進み、ガス器具の停止を判別をしない場合ＳＴ１０に進む。
ＳＴ０９；図６のグラフＧ５に示す制御流量からガス器具が一時的に停止したと器具判別手段１８で判別し、ＳＴ１０に進む。
【００３６】
ＳＴ１０；ガス流量Ｑが０（零）であるか否かを器具判別手段１８で判断する。すなわち、ガス流量Ｑ＝０で有るか否かを判断する。ガス流量Ｑ＝０の場合ＳＴ０１に戻り、ガス流量Ｑ≠０でない場合、すなわちガス流量Ｑがある場合ＳＴ０３に戻る。
ここで、ガス流量Ｑ６は、第２ガステーブル２３のガス流量１４５Ｌ／ｈである。
【００３７】
よって、ＳＴ０１〜ＳＴ１０のから、複数のガス器具２１〜２５のうち、第２ガステーブル２３および床暖房２４が使用されていることが判別される。
加えて、図９に示すガス流量Ｑ５が安定しているので、時間Ｔ２前に第２ガステーブル２３が起動したことが判別される。床暖房２４の動作が不安定な時期に第２ガステーブル２３が起動した時には、時間Ｔ２の検出が困難になるが、その時は、床暖房２４の動作時間の１／２時点を第２ガステーブル２３の起動時点と推定することで対応することができる。
【００３８】
第２ガステーブル２３および床暖房２４の起動時を判別することができる。これにより、使用するガス流体の流量に差がある複数のガス器具２１〜２５を時間差をもって起動させても、個々のガス器具２１〜２５の起動時間を設定できる。なお、Ｔ２以降に第２のガステーブル２３が起動したときには、その時の流量変化が検出されるので、その時期を起動時刻と判定することができる。また、第２のガステーブル２３と床暖房２４の開始時刻の順番が逆になって、床暖房２４の流量変化の中に第２のガステーブル２３の停止時の流離４変化が隠れた時に、第２のガステーブル２３が停止したことが検出できない場合は、床暖房２４の停止によって第２のガステーブル２３も停止したと判定することができる。
第２ガステーブル２３および床暖房２４の停止時もＳＴ０１〜ＳＴ１０から判断可能である。
【００３９】
つぎに、第１実施形態の流量計測装置１０で複数のガス器具のなかから、使用されているガス器具をより確実に判別する例を図１０に示すフローチャートに基づいて説明する。
図１０に示すフローチャートは、ガス流量についてオーバーシュートの有無や傾きの緩急を判断した後、ガス流量の流量区分を判別することでガス器具を判別する例である。
【００４０】
ＳＴ２０；ガス流量のオーバーシュートの有無を器具判別手段１８で判別する。オーバーシュートが有るとき、フラグ１＝１として記憶する。
一方、オーバーシュートが無いとき、フラグ１＝２として記憶する。
【００４１】
ここで、表１から複数のガス器具２１〜２５のうち、ファンヒータ２１、第１のガステーブル２２、第２のガステーブル２３、およびガスオーブン２５はオーバーシュートが無いのでフラグ１＝２となる。
一方、床暖房２４は、オーバーシュートが有るのでフラグ１＝１となる。
【００４２】
ＳＴ２１；傾きの緩急を器具判別手段１８で判別する。傾きが緩のとき、フラグ２＝１として記憶する。
一方、傾きが急のとき、フラグ２＝２として記憶する。
ここで、表１から複数のガス器具２１〜２５のうち、ファンヒータ２１はガス流量の傾きが緩なのでフラグ２＝１となる。
一方、第１のガステーブル２２、第２のガステーブル２３、床暖房２４、およびガスオーブン２５は、ガス流量の傾きが急なのでフラグ２＝２となる。
【００４３】
ＳＴ２２；フラグ１，２を器具判別手段１８で判別する。フラグ１＝１、フラグ２＝２のときＳＴ２３に進む。フラグ１＝２、フラグ２＝１のときＳＴ２４に進む。フラグ１＝２、フラグ２＝２のときＳＴ２５に進む。
ＳＴ２３；ガス器具が床暖房２４であると器具判別手段１８で判断する。
ＳＴ２４；ガス器具がファンヒータ２１であると器具判別手段１８で判断する。
【００４４】
ＳＴ２５；ガス流量の流量区分を判別する。ガス流量が少量のときＳＴ２６に進む。流量が多量のときＳＴ２７に進む。
ここで、第１ガステーブル２２はガス流量１００Ｌ／ｈ、第２ガステーブル２３はガス流量１４５Ｌ／ｈである。
また、ガスオーブン２５はガス流量２４０Ｌ／ｈである。
ＳＴ２６；ガス器具が第１のガステーブル２２、第２のガステーブル２３であると器具判別手段１８で判断する。
ＳＴ２７；ガス器具がガスオーブン２５であると器具判別手段１８で判断する。
【００４５】
第１実施形態の流量計測装置１０によれば、複数のガス器具２１〜２５の判別を、絶対流量の流量区分に加えて、絶対流量のオーバーシュートの有無や絶対流量の傾きの緩急に基づいて判別するようにした。
このように、複数のガス器具２１〜２５の絶対流量の特性に、オーバーシュートの有無や傾きの緩急が有ることに留意し、その特性を器具の判別基準に加えることにした。
これにより、絶対流量の流量区分だけで複数のガス器具２１〜２５を判別する場合と比較して、起動している複数のガス器具２１〜２５を一層正確に判別することができる。
【００４６】
ここで、絶対流量のオーバーシュートの有無や傾きの緩急は、複数のガス器具２１〜２５の起動時に発生する特性である。
これにより、絶対流量のオーバーシュートの有無や傾きの緩急で器具を判別することで、起動した複数のガス器具２１〜２５を迅速に判別できる。
【００４７】
（第２実施形態）
つぎに、第２実施形態の流量計測装置を図１１に基づいて説明する。なお、第２実施形態において第１実施形態の流量計測装置１０と同一・類似部材については同一符号を付して説明を省略する。
【００４８】
第２実施形態の器具判別手段１８は、複数のガス器具２１〜２５の使用中に、絶対流量の流量区分に基づいてガス器具を判別し、絶対流量の流量区分で判別不能のガス器具を絶対流量のオーバーシュートの有無および絶対流量の傾きの緩急で判別するものである。
【００４９】
つぎに、図１１において、第２実施形態の器具判別手段１８でガス器具を判別する例を説明する。
図１１に示すフローチャートは、ガス流量の流量区分を判別した後、ガス流量についてオーバーシュートの有無や傾きの緩急を判断することでガス器具を判別する例である。
【００５０】
ＳＴ３０；ガス流量の流量区分を器具判別手段１８で判別する。流量が１００Ｌ／ｈ未満のときＳＴ３１に進む。流量が１５０Ｌ／ｈ以上のときＳＴ３２に進む。流量が１００Ｌ／ｈ以上で１５０Ｌ／ｈ未満のときＳＴ３３に進む。
【００５１】
ここで、ファンヒータ２１はガス流量１３０Ｌ／ｈである。第１ガステーブル２２はガス流量１００Ｌ／ｈであり、ガス流量が安定した状態でばらつくことで１００Ｌ／ｈ未満になることがある。
また、第２ガステーブル２３はガス流量１４５Ｌ／ｈ、床暖房２４はガス流量１４０Ｌ／ｈである。さらに、ガスオーブン２５はガス流量２４０Ｌ／ｈである。
【００５２】
ＳＴ３１；ガス器具が第１ガステーブル２２であると器具判別手段１８で判断する。
ＳＴ３２；ガス器具がガスオーブン２５であると器具判別手段１８で判断する。
ＳＴ３３；ガス流量の傾きの緩急を器具判別手段１８で判断する。ガス流量の傾きが緩のときＳＴ３４に進み、傾きが急のときＳＴ３５に進む。
ここで、表１からファンヒータ２１はガス流量の傾きが緩である。
一方、第２ガステーブル２３、および床暖房２４は、ガス流量の傾きが急である。
【００５３】
ＳＴ３４；ガス器具がファンヒータ２１であると器具判別手段１８で判断する。
ＳＴ３５；ガス流量のオーバーシュートの有無を器具判別手段１８で判断する。ガス流量にオーバーシュートが無いときＳＴ３６に進み、オーバーシュートが有るときＳＴ３７に進む。
【００５４】
ここで、表１から第２ガステーブル２３はオーバーシュートが無い。
一方、床暖房２４は、オーバーシュートが有る。
ＳＴ３６；ガス器具が第２ガステーブル２３であると器具判別手段１８で判断する。
ＳＴ３７；ガス器具が床暖房２４であると器具判別手段１８で判断する。
【００５５】
ここで、複数のガス器具２１〜２５の絶対流量が明らかに異なる場合、絶対流量の流量区分で複数のガス器具２１〜２５を判別することが好ましい。
絶対流量の流量区分による複数のガス器具２１〜２５の判別は、絶対流量のオーバーシュートの有無や傾きの緩急で複数のガス器具２１〜２５を判別する場合と比較して容易である。
【００５６】
これにより、第２実施形態のように、ガス流量の流量区分で複数のガス器具２１〜２５を判別した後、ガス流量についてオーバーシュートの有無や傾きの緩急に基づいて残りのガス器具を判断することで、複数のガス器具２１〜２５うちから、起動したガス器具を迅速に判別できる。
【００５７】
なお、前述した第１の実施形態、第２の実施形態では、流量計測手段として超音波流量計１２を例示したが、他の瞬間式の流量計測手段でも、同様の効果を得ることができる。
また、ガス器具を判別した後の処理は説明を省略するが、ガスメータでは、登録器具ごとの積算流量の計測や、登録器具ごとに安全管理（保安機能）処理を設定することも可能である。そして、登録器具の流量以外の流量値や漏洩流量を検出したときにも安全管理（保安機能）処理を設定することも可能である。
さらに、前述した第１の実施形態、第２の実施形態では、流量計測装置１０をガスメータに適用した例について説明したが、工業用流量計や水道メータに適用することも可能である。
【産業上の利用可能性】
【００５８】
本発明は、流路に接続された器具を流量情報に基づいて判別する器具判別手段を備えた流量計測装置への適用に好適である。
【図面の簡単な説明】
【００５９】
【図１】本発明に係る流量計測装置（第１実施形態）を示す概略構成図である。
【図２】ガス器具の起動の判別、オーバーシュートの判別、安定判別の基準について説明するグラフである。
【図３】ガス器具を起動した際に生じるガス流量の傾きの緩急の判別基準について説明するグラフである。
【図４】ガス器具としてのファンヒータのガス流量特性を示すグラフである。
【図５】ガス器具としてのガステーブルのガス流量特性を示すグラフである。
【図６】ガス器具としての床暖房のガス流量特性を示すグラフである。
【図７】ガス器具としてのガスオーブンのガス流量特性を示すグラフである。
【図８】時間差をもって起動させたガス器具の個々の起動時間を設定する例を説明するフローチャートである。
【図９】時間差をもって起動させたガス器具のガス流量を示すグラフである。
【図１０】第１実施形態に係る流量計測装置で複数のガス器具を判別する例を示すフローチャートである。
【図１１】第２実施形態に係る流量計測装置で複数のガス器具を判別する例を示すフローチャートである。
【符号の説明】
【００６０】
１０  流量計測装置
１１  ガス供給管（流路）
１２  超音波流量計（流量計測手段）
１４  流量情報記憶手段
１８  器具判別手段
２１〜２５  ガス器具（器具）
【図１】
2008170215.tif 000004
【図２】
2008170215.tif 000005
【図３】
2008170215.tif 000006
【図４】
2008170215.tif 000007
【図５】
2008170215.tif 000008
【図６】
2008170215.tif 000009
【図７】
2008170215.tif 000010
【図８】
2008170215.tif 000011
【図９】
2008170215.tif 000012
【図１０】
2008170215.tif 000013
【図１１】
2008170215.tif 000014